(57)【要約】【課題】取り付けが容易で外れ難い摺動部材を有する建具を提供する。【解決手段】スライドする障子と、前記障子の端部と見込み方向において対向する端部対向部を備えて当該障子のスライドを案内する枠体と、前記端部において前記端部対向部と対向する部位に、見込み方向に嵌入される合成樹脂製の摺動部材と、を有する。【選択図】図６
2018193755.tif 000002
【特許請求の範囲】
【請求項１】
スライドする障子と、
前記障子の端部と見込み方向において対向する端部対向部を備えて当該障子のスライドを案内する枠体と、
前記端部において前記端部対向部と対向する部位に、見込み方向に嵌入される合成樹脂製の摺動部材と、
を有することを特徴とする建具。
【請求項２】
請求項１に記載の建具であって、
前記端部と、当該端部の見込み方向における一方側に位置する前記端部対向部との間には、気密材が設けられており、
前記端部と、当該端部の見込み方向における他方側に位置する前記端部対向部との間には、前記摺動部材が設けられていることを特徴とする建具。
【請求項３】
請求項１または請求項２に記載の建具であって、
前記摺動部材は、
前記端部に設けられた開孔に挿入され、見込み方向に貫通する貫通孔を備えた筒状部及び前記筒状部の一端に設けられ当該筒状部より直径が大きなフランジ部を有する第一部材と、
前記貫通孔に挿入された軸部及び前記軸部が押し込まれて前記フランジ部を覆う摺動部を有する第二部材と、を有し、
前記筒状部は、当該筒状部の挿入方向における先端側に、円周方向に分割された複数の分割片を有しており、
前記開孔に挿入されている前記第一部材の前記貫通孔に押し込まれた前記軸部により放射状に開いた前記分割片と前記フランジ部とにより前記障子の前記端部を挟んだ状態で前記摺動部材が取り付けられていることを特徴とする建具。
【請求項４】
請求項３に記載の建具であって、
前記端部の見込み方向における両側に前記気密材が嵌入される気密材嵌入部が設けられており、
前記開孔は、前記端部の他方側に設けられている前記気密材嵌入部に設けられていることを特徴とする建具。
【請求項５】
請求項１乃至請求項４にいずれかに記載の建具であって、
前記摺動部材は、リベットであることを特徴とする建具。
【発明の詳細な説明】
【技術分野】
【０００１】
本発明は、スライドする障子を備えた建具に関する。
【背景技術】
【０００２】
スライドする障子を備えた建具としては、たとえば窓枠の室内寄りと室外寄りとに、面内方向において移動自在に装着された障子を備えた引き違い窓用の建具が知られている（例えば、特許文献１参照）。このような建具は、方形状の窓枠を構成する上枠及び下枠に設けられた溝部に、障子の上下の端部が収容されて面内方向に移動するように構成されており、障子には、溝部との摺動抵抗を小さく抑えるべく合成樹脂製の摺動部材が設けられている。
【先行技術文献】
【特許文献】
【０００３】
【特許文献１】特開平１０−２３８２２４号公報
【発明の概要】
【発明が解決しようとする課題】
【０００４】
上記のような建具の障子に設けられている摺動部材は、障子の外周側から嵌合させて設けられており、障子を吊り込む際に障子を上下方向に移動させたときに摺動部材と枠体とが接触して摺動部材が外れてしまう虞がある。
【０００５】
本発明は、かかる課題に鑑みてなされたものであり、その目的とするところは、取り付けが容易で外れ難い摺動部材を有する建具を提供することにある。
【課題を解決するための手段】
【０００６】
かかる目的を達成するために本発明の建具は、スライドする障子と、前記障子の端部と見込み方向において対向する端部対向部を備えて当該障子のスライドを案内する枠体と、前記端部において前記端部対向部と対向する部位に、見込み方向に嵌入される合成樹脂製の摺動部材と、を有すること。
【０００７】
このような建具によれば、障子の端部において端部対向部と対向する部位に、合成樹脂製の摺動部材が見込み方向に嵌入されているので、容易に取り付けることが可能であるとともに、障子を吊り込むために上下方向に移動させたときに摺動部材が枠体等に接触しても摺動部材が外れ難い。このため、製造性及び装着作業性に優れた建具を提供することが可能である。
【０００８】
かかる建具であって、前記端部と、当該端部の見込み方向における一方側に位置する前記端部対向部との間には、気密材が設けられており、前記端部と、当該端部の見込み方向における他方側に位置する前記端部対向部との間には、前記摺動部材が設けられていることが望ましい。
【０００９】
このような建具によれば、端部と端部対向部との間の、見込み方向における一方側に気密材が設けられているので、障子と枠体との間の気密性を確保することが可能である。このとき、障子の端部における気密材と反対側の部位が気密材により端部対向部に押圧されたとしても、摺動部材により負荷が軽減されるので、開閉操作を容易に行うことが可能である。
【００１０】
かかる建具であって、前記摺動部材は、前記端部に設けられた開孔に挿入され、見込み方向に貫通する貫通孔を備えた筒状部及び前記筒状部の一端に設けられ当該筒状部より直径が大きなフランジ部を有する第一部材と、前記貫通孔に挿入された軸部及び前記軸部が押し込まれて前記フランジ部を覆う摺動部を有する第二部材と、を有し、前記筒状部は、当該筒状部の挿入方向における先端側に、円周方向に分割された複数の分割片を有しており、前記開孔に挿入されている前記第一部材の前記貫通孔に押し込まれた前記軸部により放射状に開いた前記分割片と前記フランジ部とにより前記障子の前記端部を挟んだ状態で前記摺動部材が取り付けられていることが望ましい。
【００１１】
このような建具によれば、第一部材の筒状部を開孔に挿入し、軸部が第一部材の貫通孔に挿入された第二部材を見込み方向に押し込むだけで、第二部材の摺動部によりフランジ部を覆うことが可能である。このとき、第二部材が押し込まれて開かれた分割片とフランジ部とにより端部が挟持されることにより摺動部材が端部に取り付けられる。このため、開孔に挿入された第一部材の貫通孔に軸部が挿入されている第二部材を見込み方向に押し込むだけで摺動部が端部対向部と対向する状態で摺動部材を障子に容易に取り付けることが可能である。
【００１２】
かかる建具であって、前記端部の見込み方向における両側に前記気密材が嵌入される気密材嵌入部が設けられており、
前記開孔は、前記端部の他方側に設けられている前記気密材嵌入部に設けられていることが望ましい。
【００１３】
このような建具によれば、障子の端部に設けられている気密材嵌入部から摺動部材が挿入されているので、摺動部材を嵌入するための開孔を障子の端部に形成する加工を簡易化することが可能である。また、気密材嵌入部が端部の見込み方向における両側に設けられているので、気密材及び摺動部材を建具の設置場所等に合わせて見込み方向におけるいずれの側にも備えることが可能である。このため、汎用性に優れた建具を提供することが可能である。
【００１４】
かかる建具であって、前記摺動部材は、リベットであることが望ましい。
このような建具によれば、摺動部材がリベットなので、安価で、且つ、入手が容易である。
【発明の効果】
【００１５】
本発明によれば、取り付けが容易で外れ難い摺動部材を有する建具を提供することが可能である。
【図面の簡単な説明】
【００１６】
【図１】本実施形態に係る建具を示す内観図である。
【図２】本実施形態に係る建具を示す縦断面図である。
【図３】本実施形態に係る建具を示す横断面図である。
【図４】上框に設けられた気密材嵌入部を説明するための縦断面図である。
【図５】リベットの構成を示す図である。
【図６】リベットの装着方法を示す図である。
【発明を実施するための形態】
【００１７】
以下、本発明の一実施形態に係る建具について図面を参照して説明する。
本実施形態の建具として、例えば、左右方向にスライド可能な障子２、３が設けられた引き違い窓用の建具１を例に挙げて説明する。
【００１８】
以下の説明においては、建物等に取り付けられた状態の建具１を室内側から見たときに、上下となる方向を上下方向、左右となる方向を左右方向、室内外方向である奥行き方向を見込み方向として示す。建具１の各部位であっても、また、建具１を構成する各部材については単体の状態であっても、建物等に取り付けられた状態にて上下方向、左右方向、見込み方向となる方向にて方向を特定して説明する。
【００１９】
図１〜図３に示すように、建具１は、矩形状に枠組みされて建物等の躯体に固定される枠体４と、枠体４に案内されて左右方向にスライド可能な障子でなる内障子２及び外障子３と、を有している。
【００２０】
枠体４は、同一の断面形状の押出成形材でなる枠部材が、上枠４１、下枠４２及び左右の縦枠４３、４４として用いられて矩形状に接合されて形成されている。枠体４の内周側には、室内側及び室外側にそれぞれ内側が開放された溝部４ａ、４ｂが全周に渡って設けられている。
【００２１】
上枠４１及び下枠４２の室内側の溝部（以下、内溝部という）４ａには、内障子２の上端部２ａおよび下端部２ｂがそれぞれ収容され、内障子２は内溝部４ａに沿ってスライドし、内障子２を閉じたときに、右側の縦枠４４が有する内溝部４ａに内障子２の戸先側の端部２ｃが収容される。また、上枠４１及び下枠４２の室外側の溝部（以下、外溝部という）４ｂには、外障子３の上端部３ａおよび下端部３ｂがそれぞれ収容され、外障子３は外溝部４ｂに沿ってスライドし、外障子３を閉じたときに、左側の縦枠４３が有する外溝部４ｂに外障子３の戸先側の端部３ｃが収容される。ここで、内溝部４ａを形成し内障子２の周端部と対向し内溝部４ａを形成する内溝内壁部４ｃと内溝外壁部４ｄ、及び、外溝部４ｂを形成し外障子３の周端部と対向し外溝部４ｂを形成する外溝内壁部４ｅと外溝外壁部４ｆが、内障子２及び外障子３の端部と見込み方向において対向する端部対向部に相当する。
【００２２】
内障子２及び外障子３は、各々矩形状の複層ガラス５と、複層ガラス５の周端部を全周にわたって収容する矩形状の框体２０、３０と、を有し、下枠４２の溝部４ａ、４ｂに設けられているレール６に沿ってスライドする。このため、框体２０、３０を構成する上框２１、３１、下框２２、３２及び左右の縦框２３、２４、３３、３４の見込み方向における幅は、内溝部４ａ及び外溝部４ｂの見込み方向の幅より狭く形成されている。
【００２３】
内障子２及び外障子３が閉じられて框体２０、３０が枠体４の溝部４ａ、４ｂに収容されている状態で、気密性を確保するために、内障子２及び外障子３の框体２０、３０と溝部４ａ、４ｂを形成する内溝外壁部４ｄ及び外溝内壁部４ｅとの間に、基材７ａに繊維が起毛状（ブラシ状）に設けられ所謂モヘアと呼ばれる気密材７が設けられている。
【００２４】
より具体的には、内障子２の上框２１、下框２２及び戸先側となる右の縦框２４の室外側に向く見付け面２１ａ、２２ａ、２４ａの、内溝外壁部４ｄと対向する部位、及び、内障子２の召合せ側となる左の縦框２３の室外側に向く面２３ａの、外障子３の召合せ側となる右の縦框３４と対向する外溝内壁部４ｅに、各々の框材２１、２２、２３、２４の全長に渡って気密材７が設けられている。このため、框体２０を構成する上框２１、下框２２及び左右の縦框２３、２４の室外側に向く見付け面２１ａ、２２ａ、２３ａ、２４ａには、気密材７の基材７ａ側が嵌入される気密材嵌入部２０ａが、各框材２１、２２、２３、２４の長手方向に沿ってそれぞれ設けられている。
【００２５】
また、枠体４の外溝部４ｂを形成する外溝内壁部４ｅの、外障子３の上框３１、下框３２及び戸先側となる左の縦框３３の室内側に向く見付け面３１ａ、３２ａ、３３ａと対向する部位、及び、外障子３の召合せ側となる右の縦框３４の室内側に向く面３４ａの、内障子２の召合せ側となる左の縦框２３と対向する部位に、全長に渡って気密材７が設けられている。このため、枠体４を構成する上枠４１、下枠４２及び左の縦枠４３の外溝内壁部４ｅの室外側に向く見付け面４１ａ、４２ａ、４３ａ、及び、外障子３の右の縦框３４の室内側を向く面３４ａには、気密材７の基材７ａ側が嵌入される気密材嵌入部３０ａが、上枠４１、下枠４２、左の縦枠４３及び右の縦框３４の長手方向に沿ってそれぞれ設けられている。ここで、気密材７は、見込み方向において框体２０、３０と溝部４ａ、４ｂとの間に設けられていれば、框体２０、３０及び溝部４ａ、４ｂを備える枠体４のいずれに設けられていても構わない。
【００２６】
本実施形態の障子２、３の上框２１、３１には、建具１の仕様に合わせて室内側又は室外側のいずれの側にも気密材７を設けることができるように、上框２１、３１の室内側に向く面及び室外側に向く面にそれぞれ気密材嵌入部２０ａ、３０ａが設けられている。
【００２７】
気密材嵌入部２０ａ、３０ａの形状はいずれも同様であるため、ここでは、内障子２の上框２１に設けられている気密材嵌入部２０ａを例に挙げて説明する。図４に示すように、上框２１の室外側に向く面２１ａに設けられている気密材嵌入部２０ａは、室外側が開放されて室内側に窪む溝状をなし、室外側の開放されている部位は、溝の幅方向から互いに対向する側に突出し、溝状の内部２０ｂとなる室内側より溝幅が狭いスリット２０ｃをなしている。上框２１の室内側に向く面２１ｂに設けられている気密材嵌入部２０ａは、室内側が開放されて室外側に窪む溝状をなし、室内側の開放されている部位は、溝の幅方向から互いに対向する側に突出し、溝状の内部２０ｂとなる室外側より溝幅が狭いスリット２０ｃをなしている。
【００２８】
内障子２及び外障子３の框体２０、３０と内溝部４ａ及び外溝部４ｂとの間に気密材７が設けられている場合には、内障子２及び外障子３は気密材７の弾性により、気密材７が設けられている側と反対側に付勢される。このとき、内障子２及び外障子３の框体２０、３０と枠体４に設けられている内溝部４ａ及び外溝部４ｂを形成している見付け面とが上框２１、３１の全幅において接触していると接触する範囲が広いため、内障子２及び外障子３を開閉する際に作用する負荷が大きくなり操作性が悪い。特に、内障子２及び外障子３は、下端側がレール６により見込み方向に位置が規制されているため、上端側において上框２１、３１の気密材７が設けられている側とは反対側の部位が内溝部４ａまたは外溝部４ｂと接触する。
【００２９】
このため、本実施形態の建具１は、内障子２の上框２１における室内側に向く面２１ｂに摺動部材として合成樹脂製のリベット８が設けられている。リベット８は、上框２１の室内側の気密材嵌入部２０ａにおける左右方向の両端部側にそれぞれ設けられている。より具体的には、溝状をなす気密材嵌入部２０ａの底に相当する奥側壁部２０ｄに開孔２０ｅが形成されており、リベット８は、気密材嵌入部２０ａの開放されている室内側から開孔２０ｅに嵌入されている。
【００３０】
本実施形態のリベット８は、図５に示すように、奥側壁部２０ｄの開孔２０ｅに挿通される第一部材８１と、第一部材８１が有する貫通孔８１ｂに挿通された第二部材８２とを有している。
【００３１】
第一部材８１は、スリット２０ｃが形成されている面に当接されるフランジ部８１ａと、気密材嵌入部２０ａ及び奥側壁部２０ｄの開孔２０ｅに挿通される筒状部８１ｃとを有している。本実施形態のリベット８は、筒状部８１ｃの一端である室内側の端に、当該筒状部８１ｃより直径が大きなフランジ部８１ａが設けられている。フランジ部８１ａは、中央に貫通孔８１ｂが形成された円盤状をなし、貫通孔８１ｂの周縁部から延出されている筒状部８１ｃと繋がっており、貫通孔８１ｂは、フランジ部８１ａと筒状部８１ｃとに繋がって形成されている。円筒状の筒状部８１ｃは、フランジ部８１ａと反対側、すなわち開孔２０ｅに挿通される際の先端側が、貫通孔８１ｂを中心とする円周方向に分割された複数（本実施形態では４つ）の分割片８１ｄが設けられている。分割片８１ｄは、貫通孔８１ｂを狭めるように分割片８１ｄ同士が先端側にて近接するように形成されている。
【００３２】
第二部材８２は、第一部材８１の貫通孔８１ｂにフランジ部８１ａ側から挿入されている軸部８２ａと、軸部８２ａが中心から突出する円盤状の摺動部８２ｂと、を有している。軸部８２ａは、貫通孔８１ｂより僅かに細く形成されており、貫通孔８１ｂの、フランジ部８１ａから分割片８１ｄが近接して狭められた部位までの長さより長く形成されている。摺動部８２ｂは、フランジ部８１ａより大きな外径の円形状をなしている。このため、摺動部８２ｂの直径は、上框２１の左右方向の幅より十分小さい。また、摺動部８２ｂは、外周側の部位が軸部８２ａ側に湾曲しており、摺動部８２ｂの軸部８２ａ側には、軸部８２ａの周りに空隙Ｓが設けられている。
【００３３】
第一部材８１の貫通孔８１ｂに、第二部材８２の軸部８２ａが挿入されて、軸部８２ａの先端が分割片８１ｄに当接している状態では、第一部材８１のフランジ部８１ａより外側に間隔を空けて摺動部８２ｂが位置している。リベット８は、分割片８１ｄが軸部８２ａに押圧されない位置まで、第一部材８１の貫通孔８１ｂに第二部材８２の軸部８２ａが挿入された状態で用いられる。
【００３４】
図６に示すように、リベット８の装着は、まず、内障子２の上框２１における室内側に向く面２１ｂに設けられた気密材嵌入部２０ａから開孔２０ｅに見込み方向から、第二部材８２の軸部８２ａが挿入されたリベット８の、第一部材８１の筒状部８１ｃを挿入する。このとき、フランジ部８１ａが上框２１に当接されるとともに、分割片８１ｄが奥側壁部２０ｄより室外側に突出している。
【００３５】
次に、軸部８２ａの先端が分割片８１ｄに当接された状態から第二部材８２を見込み方向にさらに押し込む。このとき、軸部８２ａの先端が分割片８１ｄを内側から放射状に押し広げて進入する。また、摺動部８２ｂの室外側に形成されている空隙Ｓにフランジ部８１ａが入り込み、フランジ部８１ａは摺動部８２ｂにより覆われる。また、各分割片８１ｄは、奥側壁部２０ｄの室外側で開孔２０ｅより大きく広がる。このとき、上框２１の気密材嵌入部２０ａを形成している部位が、摺動部８２ｂと重なったフランジ部８１ａと放射状に広がった分割片８１ｄとに挟持されることによりリベット８が上框２１に保持される。
【００３６】
リベット８が設けられた内障子２は、枠体４に吊り込まれて、上框２１が上枠４１の内溝部４ａに挿入されると、内溝部４ａの室内側の壁部に摺動部８２ｂが当接される。そして、内障子２は、摺動部８２ｂが内溝部４ａの室内側の壁部に摺動しつつスライドして開閉される。
【００３７】
本実施形態の建具１によれば、内障子２の上框２１の、内溝部４ａの内溝内壁部４ｃと見込み方向において対向する、室内側に向く面２１ｂに、内障子２のスライド方向の幅より狭いリベット８が設けられているので、内障子２の上框２１が全幅に渡って摺接する場合より内障子２の開閉時における負荷を軽減することが可能である。また、リベット８は、内障子２の上框２１に見込み方向に嵌入されているので、容易に取り付けることが可能であるとともに、内障子２を吊り込むために上下方向に移動させたときにリベット８が枠体４等に接触してもリベット８が外れ難い。このため、製造性及び装着作業性に優れた建具１を提供することが可能である。
【００３８】
また、上框２１の室外側に気密材７が設けられているので、内障子２と枠体４との間の気密性を確保することが可能である。このとき、気密材７により内障子２の上框２１における気密材７と反対側の部位が内溝部４ａの内溝内壁部４ｃに押圧されたとしても、リベット８により負荷が軽減されるので、開閉操作は容易である。
【００３９】
また、リベット８は、第二部材８２の軸部８２ａが挿入された第一部材８１の筒状部８１ｃを開孔２０ｅに挿入し、第二部材８２を見込み方向に押し込むだけで、第二部材８２の摺動部８２ｂによりフランジ部８１ａを覆うことが可能であり、分割片８１ｄとフランジ部８１ａとにより上框２１が挟持されるので、第二部材８２を押し込むだけで開閉操作時の負荷を軽減する摺動部分を容易に備えることが可能である。また、摺動部材を市販品のリベット８としたので、安価で、且つ、入手が容易である。
【００４０】
また、内障子２の上框２１に設けられている気密材嵌入部２０ａからリベット８が挿入されているので、リベット８を嵌入するために上框２１に施す加工を簡易化することが可能であり、コストを低減することが可能である。そして、僅かな加工を施した気密材嵌入部２０ａにリベット８を嵌入するだけで容易に取り付けることが可能である。また、気密材嵌入部２０ａが上框２１の見込み方向における両側に設けられているので、気密材７及びリベット８を建具１の設置場所等に合わせて見込み方向におけるいずれの側にも備えることが可能である。このため、汎用性に優れた建具１を提供することが可能である。
【００４１】
上記実施形態においては、上框２１の室内側のみにリベット８が設けられ室外側のみに気密材７が設けられている例について説明したが、これに限るものではない。例えば、上框２１の室内側または室外側のうちの一方側の気密材嵌入部のみにリベットが設けられており、同じ一方側の気密材嵌入部においてリベットが設けられていない部位に気密材が備えられていても構わない。また、上框２１の室内側または室外側のうちの一方側の気密材嵌入部にリベットと気密材とが設けられており、他方側の気密材嵌入部に気密材が設けられている、或いは、他方側の気密材嵌入部にもリベットと気密材とが設けられている構成であっても構わない。
【００４２】
上記実施形態においては、摺動部材としてのリベット８を内障子２の上框２１のみに設けた例について説明したが、これに限らず、内障子２及び外障子３がスライドするときに摺動する部位であれば、框体２０、３０及び枠体４の互いに対向する部位のいずれに設けても構わない。
【００４３】
上記実施形態においては、第一部材８１の貫通孔８１ｂに第二部材８２の軸部８２ａが挿入された状態で用いられるリベット８を例に挙げて説明したが、これに限らず、例えば、第一部材を取り付けた後に、第一部材の貫通孔に第二部材の軸部を挿入し、更に押し込んで取り付けられる構成であっても構わない。
【００４４】
上述したリベット８は、一例であり、框が枠に直接接する場合より接触面積が小さくなり、見込み方向に押圧して装着できる合成樹脂製の部材であれば構わない。
【００４５】
上記実施形態においては、スライド可能な障子２、３が設けられた引き違い窓用の建具１を例に挙げて説明したが、これに限らず、障子がスライドする建具であれば、例えば、片引き窓用の建具や、障子が上下方向にスライドする上げ下げ窓用の建具であっても構わない。
【００４６】
また、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００４７】
１  建具、２  内障子、２ａ  上端部、３  外障子、４  枠体、４ａ  内溝部、
４ｂ  外溝部、４ｃ  内溝内壁部、４ｄ  内溝外壁部、４ｅ  外溝内壁部、
４ｆ  外溝外壁部、７  気密材、８  リベット、２０ａ  気密材嵌入部、
２０ｅ  開孔、２１  上框、８１  第一部材、８１ａ  フランジ部、
８１ｂ  貫通孔、８１ｄ  分割片、８２  第二部材、８２ａ  軸部、
８２ｂ  摺動部、
【図１】
2018193755.tif 000003
【図２】
2018193755.tif 000004
【図３】
2018193755.tif 000005
【図４】
2018193755.tif 000006
【図５】
2018193755.tif 000007
【図６】
2018193755.tif 000008